(57)【要約】【課題】  商品に記される生産地の信頼性を高めることができるようにすることを目的とする。【解決手段】  位置情報封印装置１００は、位置情報記憶部１９１に所在位置に関する位置情報を記憶し、処理装置２００は、位置情報封印装置１００を接続し、この位置情報が正しい所在位置を示す場合に、商品に生産地を印刷する処理を実行する。位置情報封印装置１００は許容量記憶部１９２に許容量を記憶し、移動量算出部１１０は、位置情報封印装置１００の移動量を算出する。移動量判定部１２０は移動量と許容量とを比較し、移動量の方が大きい場合、位置情報をリセットする。これにより処理装置２００は、その場所を移動されると動作しなくなるため、商品に記される生産地の信頼性を高めることができる。【選択図】        図３
2006185247.tif 000002
【特許請求の範囲】
【請求項１】
所在位置に関する位置情報を記憶する位置情報記憶部と、
位置の移動を検出し、移動検出の際に前記位置情報記憶部に記憶された位置情報を、所在位置を示さないことを表す位置情報に更新する移動検出部と
を備えることを特徴とする位置情報装置。
【請求項２】
前記位置情報装置は、さらに、
移動することを許容する許容量を記憶する許容量記憶部を備え、
上記移動検出部は、
位置を移動した場合に移動量を算出する移動量算出部と、
前記移動量算出部が算出した移動量と前記許容量記憶部に記憶された許容量とを比較し、移動量が許容量より大きい場合に、前記位置情報記憶部に記憶された位置情報を、所在位置を示さないことを表す位置情報に更新する移動量判定部と
を備えることを特徴とする請求項１記載の位置情報装置。
【請求項３】
前記位置情報装置は、さらに、
前記位置情報記憶部に記憶された位置情報を使用する処理装置と接続する情報装置接続部
を備えることを特徴とする請求項１または請求項２記載の位置情報装置。
【請求項４】
前記位置情報装置は、さらに、
前記情報装置接続部と前記処理装置との接続が絶たれたことを検出し、前記位置情報記憶部に記憶された位置情報を、所在位置を示さないことを表す位置情報に更新する接続断検出部
を備えることを特徴とする請求項３記載の位置情報装置。
【請求項５】
前記位置情報装置は、さらに、
前記位置情報装置の位置情報と許容量との少なくともいずれかを管理する管理装置と通信する情報装置通信部と、
前記情報装置通信部が前記管理装置の管理する位置情報を受信した場合、前記管理装置の管理する位置情報で、前記位置情報記憶部に記憶された位置情報を更新し、前記情報装置通信部が前記管理装置の管理する許容量を受信した場合、前記管理装置の管理する許容量で、前記許容量記憶部に記憶された許容量を更新する情報装置更新部と
を備えることを特徴とする請求項２〜請求項４いずれかに記載の位置情報装置。
【請求項６】
前記情報装置通信部は、
通信されるデータを秘匿化する秘匿化通信を行うことを特徴とする請求項５記載の位置情報装置。
【請求項７】
前記情報装置通信部は、
暗号化されたデータの通信を行うことを特徴とする請求項６記載の位置情報装置。
【請求項８】
前記位置情報装置は、さらに、
前記位置情報装置に電力を供給する電源部と、
前記電源部の電力供給の開始を検出し、前記位置情報記憶部に記憶された位置情報を、所在位置を示さないことを表す位置情報に更新する電源検出部と
を備えることを特徴とする請求項１〜請求項７いずれかに記載の位置情報装置。
【請求項９】
前記位置情報装置は、さらに、
電力を蓄えるバッテリーと、
前記バッテリーに蓄えられた電力が無くなる際に、前記位置情報記憶部に記憶された位置情報を、所在位置を示さないことを表す位置情報に更新するバッテリー検出部と
を備えることを特徴とする請求項１〜請求項８いずれかに記載の位置情報装置。
【請求項１０】
所在位置に関する位置情報を記憶する位置情報記憶部と、位置の移動を検出し、移動検出の際に前記位置情報記憶部に記憶された位置情報を、所在位置を示さないことを表す位置情報に更新する移動検出部とを備える位置情報装置と、
情報処理装置であり、前記位置情報装置と接続する処理装置接続部と、前記処理装置接続部を介して位置情報を取得する接続取得部と、前記接続取得部が取得した位置情報に基づいて情報処理を行う情報処理部とを備える処理装置と
を有することを特徴とする位置情報システム。
【請求項１１】
前記情報処理部は、
位置情報に基づいて位置情報に関する印刷物を印刷することを特徴とする請求項１０記載の位置情報システム。
【請求項１２】
所在位置に関する位置情報を記憶する位置情報記憶部と、位置の移動を検出し、移動検出の際に前記位置情報記憶部に記憶された位置情報を、所在位置を示さないことを表す位置情報に更新する移動検出部とを備える位置情報装置と、
装置の管理を行う管理装置であり、位置情報装置と通信する管理装置通信部と、前記位置情報装置の前記位置情報記憶部に記憶させる位置情報を記憶する管理装置記憶部と、前記管理装置記憶部に記憶された位置情報を取得し、取得した位置情報を前記管理装置通信部に出力して前記位置情報装置に送信する記憶情報出力部とを備える管理装置と
を有することを特徴とする位置情報システム。
【請求項１３】
所在位置に関する位置情報を記憶する位置情報記憶工程と、
位置の移動を検出し、移動検出の際に前記位置情報記憶工程で記憶された位置情報を、所在位置を示さないことを表す位置情報に更新する移動検出工程と
を実行することを特徴とする位置情報装置の位置情報処理方法。
【請求項１４】
請求項１３記載の位置情報処理方法をコンピュータに実行させる位置情報処理プログラム。
【請求項１５】
所在位置に関する位置情報を記憶する位置情報記憶部と、位置の移動を検出し、移動検出の際に前記位置情報記憶部に記憶された位置情報を、所在位置を示さないことを表す位置情報に更新する移動検出部とを備える位置情報装置と、
装置の管理を行う管理装置であり、位置情報装置と通信する管理装置通信部と、前記位置情報装置の前記位置情報記憶部に記憶させる位置情報を記憶する管理装置記憶部と、前記管理装置記憶部に記憶された位置情報を取得し、取得した位置情報を前記管理装置通信部に出力して前記位置情報装置に送信する記憶情報出力部と、前記記憶情報出力部が行う位置情報の前記位置情報装置への送信処理の際に課金処理を行う課金部とを備える管理装置と
を有することを特徴とする位置情報システム。
【発明の詳細な説明】
【技術分野】
【０００１】
本発明は、位置情報を利用した情報処理システムにおける位置情報装置、位置情報システム、位置情報処理方法および位置情報処理プログラムに関するものである。
【背景技術】
【０００２】
消費者にとって商品の信頼性は重要要素である。これに伴い、商品に付される各種の商品情報に対する信頼度が重要となってくる。ここで、各種商品に対する商品情報の不正な刻印を防止できる技術には特許文献１がある。
【特許文献１】特許第３４７５１４５号公報
【発明の開示】
【発明が解決しようとする課題】
【０００３】
ここで、消費者は商品に記された商品情報を信じるしかないため、より信頼性の高い商品情報（例えば生産地や生産者など）を商品に印刷するための技術が求められる。
また、生産地や生産者といった商品情報の信頼性を保証するという付加価値を提供することで課金システムの実現が考えられる。
【０００４】
そこで本発明は、生産地や生産者といった位置に関する商品情報の信頼性を保証できるように、位置情報の改ざんを防止できるようにすることを目的とする。
また、位置情報について、既存の位置測位方法（例えば、ＧＰＳ（Ｇｌｏｂａｌ  Ｐｏｓｉｔｉｏｎｉｎｇ  Ｓｙｓｔｅｍ））を活用でき、且つＧＰＳ電波の届かない所でも位置に関する商品情報を証明できるようにすることを目的とする。
さらに、課金システムを確保できるようにすることを目的とする。
【課題を解決するための手段】
【０００５】
本発明の位置情報装置は、所在位置に関する位置情報を記憶する位置情報記憶部と、位置の移動を検出し、移動検出の際に前記位置情報記憶部に記憶された位置情報を、所在位置を示さないことを表す位置情報に更新する移動検出部とを備えることを特徴とする。
【０００６】
前記位置情報装置は、さらに、移動することを許容する許容量を記憶する許容量記憶部を備え、上記移動検出部は、位置を移動した場合に移動量を算出する移動量算出部と、前記移動量算出部が算出した移動量と前記許容量記憶部に記憶された許容量とを比較し、移動量が許容量より大きい場合に、前記位置情報記憶部に記憶された位置情報を、所在位置を示さないことを表す位置情報に更新する移動量判定部とを備えることを特徴とする。
【０００７】
前記位置情報装置は、さらに、前記位置情報記憶部に記憶された位置情報を使用する処理装置と接続する情報装置接続部を備えることを特徴とする。
【０００８】
前記位置情報装置は、さらに、前記情報装置接続部と前記処理装置との接続が絶たれたことを検出し、前記位置情報記憶部に記憶された位置情報を、所在位置を示さないことを表す位置情報に更新する接続断検出部を備えることを特徴とする。
【０００９】
前記位置情報装置は、さらに、前記位置情報装置の位置情報と許容量との少なくともいずれかを管理する管理装置と通信する情報装置通信部と、前記情報装置通信部が前記管理装置の管理する位置情報を受信した場合、前記管理装置の管理する位置情報で、前記位置情報記憶部に記憶された位置情報を更新し、前記情報装置通信部が前記管理装置の管理する許容量を受信した場合、前記管理装置の管理する許容量で、前記許容量記憶部に記憶された許容量を更新する情報装置更新部とを備えることを特徴とする。
【００１０】
前記情報装置通信部は、通信されるデータを秘匿化する秘匿化通信を行うことを特徴とする。
【００１１】
前記情報装置通信部は、暗号化されたデータの通信を行うことを特徴とする。
【００１２】
前記位置情報装置は、さらに、前記位置情報装置に電力を供給する電源部と、前記電源部の電力供給の開始を検出し、前記位置情報記憶部に記憶された位置情報を、所在位置を示さないことを表す位置情報に更新する電源検出部とを備えることを特徴とする。
【００１３】
前記位置情報装置は、さらに、電力を蓄えるバッテリーと、前記バッテリーに蓄えられた電力が無くなる際に、前記位置情報記憶部に記憶された位置情報を、所在位置を示さないことを表す位置情報に更新するバッテリー検出部とを備えることを特徴とする。
【００１４】
本発明の位置情報システムは、所在位置に関する位置情報を記憶する位置情報記憶部と、位置の移動を検出し、移動検出の際に前記位置情報記憶部に記憶された位置情報を、所在位置を示さないことを表す位置情報に更新する移動検出部とを備える位置情報装置と、情報処理装置であり、前記位置情報装置と接続する処理装置接続部と、前記処理装置接続部を介して位置情報を取得する接続取得部と、前記接続取得部が取得した位置情報に基づいて情報処理を行う情報処理部とを備える処理装置とを有することを特徴とする。
【００１５】
前記情報処理部は、位置情報に基づいて位置情報に関する印刷物を印刷することを特徴とする。
【００１６】
本発明の位置情報システムは、所在位置に関する位置情報を記憶する位置情報記憶部と、位置の移動を検出し、移動検出の際に前記位置情報記憶部に記憶された位置情報を、所在位置を示さないことを表す位置情報に更新する移動検出部とを備える位置情報装置と、装置の管理を行う管理装置であり、位置情報装置と通信する管理装置通信部と、前記位置情報装置の前記位置情報記憶部に記憶させる位置情報を記憶する管理装置記憶部と、前記管理装置記憶部に記憶された位置情報を取得し、取得した位置情報を前記管理装置通信部に出力して前記位置情報装置に送信する記憶情報出力部とを備える管理装置とを有することを特徴とする。
【００１７】
本発明の位置情報処理方法は、所在位置に関する位置情報を記憶する位置情報記憶工程と、位置の移動を検出し、移動検出の際に前記位置情報記憶工程で記憶された位置情報を、所在位置を示さないことを表す位置情報に更新する移動検出工程とを実行することを特徴とする。
【００１８】
本発明の位置情報処理プログラムは前記位置情報処理方法をコンピュータに実行させることを特徴とする。
【００１９】
本発明の位置情報システムは、所在位置に関する位置情報を記憶する位置情報記憶部と、位置の移動を検出し、移動検出の際に前記位置情報記憶部に記憶された位置情報を、所在位置を示さないことを表す位置情報に更新する移動検出部とを備える位置情報装置と、装置の管理を行う管理装置であり、位置情報装置と通信する管理装置通信部と、前記位置情報装置の前記位置情報記憶部に記憶させる位置情報を記憶する管理装置記憶部と、前記管理装置記憶部に記憶された位置情報を取得し、取得した位置情報を前記管理装置通信部に出力して前記位置情報装置に送信する記憶情報出力部と、前記記憶情報出力部が行う位置情報の前記位置情報装置への送信処理の際に課金処理を行う課金部とを備える管理装置とを有することを特徴とする。
【発明の効果】
【００２０】
本発明によれば、移動検出部により、位置が移動されたことを検出するので、位置情報の改ざんを検出することができる。
【発明を実施するための最良の形態】
【００２１】
実施の形態１．
本発明の実施の形態１を説明するにあたり、まずはＧＰＳ測位で位置情報を取得する位置情報装置８００を使用して、商品の生産地や生産者を保証する位置情報保証システムについて説明する。
図１は、実施の形態１における位置情報保証システムの構成図である。
また、図２は実施の形態１における位置情報保証システムの処理の流れを示すフローチャートである。
実施の形態１における位置情報保証システムの処理を図１および図２に基づいて説明する。
【００２２】
図１において、位置情報装置８００は処理装置２００に接続され、処理装置２００は商品の生産を行う作業場、工場などに設置される。また、管理センター４００の管理装置３００は、商品の生産場所の証明を行う。
【００２３】
図２において、まず位置情報装置８００の測位部８０１は、ＧＰＳ衛星６００などから測位情報を取得し、位置情報装置８００の所在位置を測位して位置情報記憶部８９１に位置情報として記憶する（Ｓ１０１）。
【００２４】
次に、処理装置２００の接続取得部２２０は処理装置接続部２１０と情報装置接続部８３０とを介して位置情報装置８００の位置情報と位置情報装置を識別する識別情報とを取得する。さらに、処理装置通信部２０１は、取得した位置情報と識別情報とを管理装置３００に送信し、認証要求を行う（Ｓ１０２）。
【００２５】
次に、管理装置３００の認証部３０１は管理装置通信部３１０が受信した位置情報と識別情報とに対して、管理装置記憶部３９０の管理テーブルに示される識別情報と位置情報と照合し、認証テーブルの内容に合う場合に認証する。さらに、認証部３０１は、管理装置通信部３１０を介して処理装置２００に、位置情報を認証したことを示す認証情報を送信する（Ｓ１０３）。
【００２６】
次に、処理装置２００の情報処理部２３０は、処理装置通信部２０１を介して認証情報を受信し、認証情報を出力する。例えば、認証情報を含むバーコードを記した商品のパッケージを出力する（Ｓ１０４）。
【００２７】
これによりユーザは、商品のパッケージに印刷されたバーコードを読み取りバーコードの情報を確認することで、パッケージに記された商品情報が認証されたものであることを確認するといった利用も行える。
【００２８】
しかし、上記位置情報保証システムも、ＧＰＳなどで使用する測位情報を悪意者がシミュレータにより出力すると、位置情報装置８００は、偽った測位情報に基づいて測位した位置情報を記憶してしまい、実際の所在位置と異なることになる。これにより、商品に生産地、生産者を偽って記すことも考えられる。
【００２９】
つまり、管理センター４００が認識する場所とは異なる場所に、位置情報装置８００を接続した処理装置２００が移動されても、処理装置２００は移動されていないものとしてその機能を実行してしまう。
【００３０】
そこで、以下に示すように位置情報を封印し、位置情報装置を接続した処理装置２００が位置情報の示す場所とは異なる場所に移動されて使用されることを防ぐ位置情報封印システムが考えられる。
図３は、実施の形態１における位置情報封印システムの構成図である。
実施の形態１における位置情報封印システムの構成を図３に基づいて説明する。
【００３１】
位置情報封印装置１００は、図１に示す位置情報装置８００に対応する。
位置情報封印装置１００は、以下のものを備える。
位置情報封印装置１００の位置情報を記憶する位置情報記憶部１９１。
位置情報封印装置１００の位置の移動を検出し、移動検出の際に位置情報記憶部１９１に記憶された位置情報に対する更新処理を行う移動検出部１０１。
位置情報封印装置１００の移動量を算出する移動量算出部１１０。
位置情報封印装置１００の位置の移動を検知する慣性センサー１１１。
（慣性センサー１１１にはジャイロや加速時計があり、方位の変化や加速度の変化により移動を検知する。また、自律的にＧＰＳ測位を行う測位部を備えて移動の検知をしても構わない。）
慣性センサー１１１が検知した移動量を計算する移動量計算部１１２。
移動量計算部１１２が計算した移動量を記憶する移動量記憶部１９３。
位置情報封印装置１００を移動することが可能な範囲を示す許容量を記憶する許容量記憶部１９２。
移動量記憶部１９３に記憶された移動量と許容量記憶部１９２に記憶された許容量とを比較し、比較結果に基づいて位置情報記憶部１９１に記憶された位置情報に対する更新処理を行う移動量判定部１２０。
【００３２】
処理装置２００と接続する情報装置接続部１３０。
所定時間間隔のタイマーを起動するウォッチドッグタイマー部１４１。
処理装置２００に接続するコネクタ１４２。
処理装置２００との間で電気信号が流れない場合に、処理装置２００との接続が絶たれたことを検出し、位置情報記憶部１９１に記憶された位置情報をリセットする接続断検出部１４０。
（接続断検出部１４０は、ウォッチドッグタイマー部１４１が起動するタイマー間隔以上の間、コネクタ１４２を介して処理装置２００との間で電気信号が流れない場合に接続が絶たれたと判定する。これにより、何らかの理由により瞬間的に接続が絶たれた場合には位置情報をリセットしないという処理ができる。）
【００３３】
管理装置３００と通信するテレメトリ処理部１５０。
テレメトリ処理部１５０が通信するデータに対して暗復号処理を行う情報装置暗号処理部１５１。
位置情報封印装置１００の各部から各部の状態情報を取得し、取得した情報をテレメトリ処理部１５０を介して管理装置３００に送信する情報取得部１５２。
テレメトリ処理部１５０を介して管理装置３００から取得した情報で、各記憶部に記憶された情報を更新する情報装置更新部１６０。
【００３４】
位置情報封印装置１００の各部に電力を供給する電源部１７０。
電力を蓄えるバッテリー１７１。
電源のオンとバッテリー切れとを検出し、検出時に位置情報記憶部１９１に記憶された位置情報をリセットする電源検出部１７２。
【００３５】
ここで、位置情報のリセットとは、位置情報封印装置１００の所在位置を示していないことを表す位置情報を位置情報記憶部１９１に記憶することである。たとえば、位置情報のリセットとは位置情報をゼロクリアすることをいう。
【００３６】
処理装置２００はプリンタなどの印刷装置であり、以下のものを備える。
位置情報封印装置１００と接続する処理装置接続部２１０。
処理装置接続部２１０を介して位置情報封印装置１００から位置情報を取得する接続取得部２２０。
管理装置３００と通信する処理装置通信部２０１。
接続取得部２２０の取得した位置情報に基づいて印刷物の印刷などの処理を行う情報処理部２３０。
（情報処理部２３０は、ラベル、バーコード、２次元コード（ＱＲ（Ｑｕｉｃｋ  Ｒｅｓｐｏｎｓｅ）コードなど）などを印刷物に印刷する。但し、印刷は可視的なものに限らず、コンピューター等で使用されるメモリー上にタイムスタンプを記憶するような不可視的なものでもよい。）
【００３７】
位置情報封印装置１００と処理装置２００との接続は、処理装置２００に位置情報封印装置１００を組み込む形態でもよいし、ケーブルなどによる有線接続でもよいし、無線接続でもよい。
【００３８】
管理センター４００は、管理装置３００を備えて位置情報封印装置１００および処理装置２００を管理する。管理装置３００は以下のものを備える。
処理装置２００と通信する管理装置通信部３１０。
位置情報封印装置１００を識別する識別情報と、位置情報封印装置１００の所在すべき所在位置を示す所在位置情報と、位置情報封印装置１００の移動を許可する許容範囲を示す許容量とを対応つける管理テーブルを記憶する管理装置記憶部３９０。
管理装置通信部３１０を介して位置情報封印装置１００から位置情報封印装置１００の情報を取得する通信取得部３０３。
管理装置通信部３１０を介して位置情報封印装置１００に管理装置記憶部３９０に記憶された情報を送信する記憶情報出力部３２０。
管理装置通信部３１０が通信するデータに対する暗復号処理を行う管理装置暗号処理部３０４。
位置情報封印システムの課金処理を行う課金部３０５。
【００３９】
以下に、位置情報封印システムの処理を説明する。
図４は、実施の形態１における位置情報封印方法を示すフローチャートである。
実施の形態１における位置情報封印装置１００の位置情報封印方法を図４に基づいて説明する。
【００４０】
まず、位置情報封印装置１００および位置情報封印装置１００と接続する処理装置２００を既定場所に設置する時に、位置情報記憶部１９１に、位置情報封印装置１００および処理装置２００の所在位置を位置情報として設定する。また、許容量記憶部１９２に位置情報封印装置１００および処理装置２００に対して移動の許された許容範囲を許容量として設定する。
例えば、管理装置記憶部３９０に記憶された管理テーブルに該位置情報封印装置１００の所在位置情報と許容量があらかじめ設定されているものとする。この場合、管理センター４００で管理装置３００を起動し、記憶情報出力部３２０が管理装置記憶部３９０に記憶された管理テーブルから該位置情報封印装置１００の所在位置情報と許容量とを取得する。管理装置通信部３１０は、記憶情報出力部３２０が取得した所在位置情報と許容量とを該位置情報封印装置１００に送信する。該位置情報封印装置１００において情報装置更新部１６０は、テレメトリ処理部１５０が管理装置３００から受信した所在位置情報と許容量とを取得し、取得した所在位置情報を位置情報記憶部１９１に記憶し、許容量を許容量記憶部１９２に記憶することで設定が行える。
管理テーブルへの位置情報封印装置１００の所在位置情報の設定は、例えば、管理センター４００の管理者が、位置情報封印装置１００の設置された場所においてＧＰＳ測位を行い、測位した測位情報を設定する。また、管理者が紙地図判読を行い判読した測位情報を設定してもよい。これにより、ＧＰＳ電波が届かない場所でも、実施の形態１における位置情報封印方法を使用して位置証明のための位置情報の設定をすることができる。位置情報には、例えば緯度、経度、高さなどを含む。
【００４１】
図４において、位置情報記憶部１９１に位置情報を設定された位置情報封印装置１００が移動されたとする（Ｓ２０１）。
移動量算出部１１０において、慣性センサー１１１は位置情報封印装置１００の移動を検出し、検出した移動情報を移動量計算部１１２に出力する。移動情報には例えば移動速度、移動方向、移動時間などが含まれる。移動量計算部１１２は、移動情報に基いて移動量を計算し、移動量記憶部１９３に計算した移動量を記憶し、移動量判定部１２０を起動する（Ｓ２０２）。
移動量判定部１２０は、移動量記憶部１９３に記憶された移動量と許容量記憶部１９２に記憶された許容量とを取得して比較する（Ｓ２０３）。
移動量判定部１２０は比較した結果、移動量が許容量より大きい場合は、位置情報記憶部１９１に記憶された位置情報をリセットする（Ｓ２０５）。
【００４２】
上記位置情報封印処理により、管理センター４００が認識する場所とは異なる場所に、位置情報封印装置１００を接続した処理装置２００が移動された場合に移動されたことを検出できる為、処理装置２００の機能の実行を停止することができる。例えば、認証された位置情報の印刷処理などの実行を停止することができる。その他、リセットされた値（オールゼロ）を印刷することで不機能とすることができる。
【００４３】
ここで、移動検出部１０１は慣性センサー１１１が移動を検知した時に位置情報記憶部１９１に記憶された位置情報をリセットしても構わず、上記効果も得ることができる。この場合、位置情報封印装置１００は、移動量計算部１１２と移動量判定部１２０と移動量記憶部１９３と許容量記憶部１９２とを備える必要は無い。
但し、各部を備え、移動量の判定を行うことで、位置情報封印装置１００および処理装置２００に対して、管理センター４００に登録された施設内での移動や、地震等の悪意の無い移動を容認することができ、システム利用者の利便性を向上することができる。
【００４４】
上記の移動量および許容量は、移動距離だけであってもよいし、移動方向を加味してもよい。例えば、東に１０ｍ移動後、西に５ｍ移動した場合、移動量を１５ｍとしてもよいし、移動量を５ｍとしてもよいし、東に５ｍとしてもよい。許容量も許容する移動距離一つだけでもよいし、各方向に対して許容する移動距離を含んでもよい。
【００４５】
また、位置情報封印装置１００の移動とは別の事象に対して位置情報をリセットしても構わない。例えば、処理装置２００との接続が絶たれた時、一度電源が切れて再度電源が入れられた時、バッテリーが切れた時に位置情報のリセットを行う。これらのリセット処理は、接続断検出部１４０、ウォッチドッグタイマー部１４１、電源部１７０、バッテリー１７１、電源検出部１７２を備えることで実行できる。これにより、位置情報の信頼性をさらに向上することができる。つまり、位置情報封印システムの信頼性をさらに向上することができる。
【００４６】
図５は、実施の形態１における位置情報リセット後の位置情報封印システムの処理を示すフローチャートである。
位置情報封印装置１００の移動に、工場の移転などの正当な理由がある場合、位置情報がリセットされ通常稼動できなくなった処理装置２００を復旧しなければならない。位置情報リセット後の処理装置２００の復旧処理について図５に基づいて説明する。
【００４７】
位置情報封印装置１００の位置情報がリセットされ処理装置２００の情報処理部２３０は印刷などの処理ができなくなったとする（Ｓ３０１）。
処理装置２００の利用者は、管理センター４００に問い合わせを行う（Ｓ３０２）。
ここで、管理装置３００の記憶する管理テーブルには、位置情報封印装置１００の移転後における新たな所在位置情報と許容量とが設定されているものとする。
【００４８】
管理センター４００の管理者は管理装置３００を起動する。管理装置３００において、通信取得部３０３は管理装置通信部３１０を介して、情報取得要求を示す情報取得要求データを該位置情報封印装置１００に送信する。テレメトリ処理部１５０は、情報取得要求データを受信し、受信した情報取得要求データを情報取得部１５２に出力する。情報取得部１５２は、位置情報封印装置１００の備える各部から各部の状態を示す情報を取得し、取得した情報をテレメトリ処理部１５０を介して管理装置３００に送信する。通信取得部３０３は、管理装置通信部３１０の受信した位置情報封印装置１００の各部の情報を取得する。各部の状態とは、例えば、位置情報記憶部１９１に記憶された位置情報、移動量記憶部１９３に記憶された移動量、許容量記憶部１９２に記憶された許容量、接続断検出部１４０が接続断を検出したことを示す情報、電源検出部１７２が電源オンまたはバッテリー切れを検出したことを示す情報などである（Ｓ３０３）。
【００４９】
通信取得部３０３は、取得した位置情報封印装置１００の各部の情報を参照し、状態を判定する。例えば、取得した位置情報がリセットされていることを検出し、位置情報封印装置１００が移動後の状態であると判定する。通信取得部３０３の判定の結果、記憶情報出力部３２０は、管理テーブルから該位置情報封印装置１００の移転後の新しい位置情報および許容量を取得し、管理装置通信部３１０を介して位置情報封印装置１００に送信する（Ｓ３０４）。
【００５０】
情報装置更新部１６０は、テレメトリ処理部１５０の受信した位置情報と許容量とを取得し、取得した位置情報と許容量とで位置情報記憶部１９１に記憶された位置情報と許容量記憶部１９２に記憶された許容量とを更新する。また、情報装置更新部１６０は、移動量記憶部１９３に記憶された移動量を初期値に更新する（Ｓ３０５）。
【００５１】
以上の処理により、位置情報封印装置１００には正しい位置情報封印装置１００の所在位置を示す位置情報と正しい許容量と初期化された移動量とが設定され、処理装置２００の情報処理部２３０は通常の処理を実行することができる（Ｓ３０６）。
【００５２】
接続断検出時、電源オン検出時、バッテリー切れ検出時も同様にして位置情報封印装置１００および処理装置２００の復旧を行うことができる。
【００５３】
ここで、位置情報封印装置１００と管理装置３００との間で秘匿化通信を行うことで、位置情報封印装置１００の位置情報および位置情報封印システムの信頼性をさらに向上することができる。例えば、通信データの暗号化を行う。これは、位置情報封印装置１００で情報装置暗号処理部１５１を備え、管理装置３００で管理装置暗号処理部３０４を備え、送信前にデータを暗号化し、受信後にデータを復号化すればよい。
【００５４】
また、図３に図示するように管理装置３００は課金部３０５を備え、位置情報封印システムの各処理に対して課金を行ってもよい。例えば、リセットされた位置情報封印装置１００の位置情報に対して管理装置３００で管理する位置情報を設定する際に課金を行ってもよい。管理装置３００は課金対象の会員情報（会員番号、課金料など）を記憶部に記憶し、課金部３０５は記憶部に記憶された当該会員の課金料に新たな処理に伴う課金料を加算する。
【００５５】
また、位置情報封印装置１００は処理装置２００を介して管理装置３００と通信を行ってもよい。
【００５６】
図６は、実施の形態１における位置情報封印システムの処理を示すタイムチャートである。
実施の形態１における位置情報封印システムの位置情報の封印処理の詳細について図６に基づいて説明する。
【００５７】
位置情報封印装置１００は電源部１７０に電源が投入されると、各部はパワーオンリセットする（Ｔ１）。
システム管理者は、位置情報封印装置１００および位置情報封印装置１００を接続した処理装置２００の位置情報をＧＰＳ測量や紙地図判読などにより求め、管理テーブルに設定する。
管理装置３００は、管理テーブルから位置情報を取り出す（Ｔ２）。
管理装置３００は、位置情報を位置情報封印装置１００に送信し、位置情報記憶部１９１に設定する（Ｔ３）。
【００５８】
位置情報の設定以降、通常は処理装置２００からの呼出に応じて、位置情報封印装置１００は、位置情報記憶部１９１に記憶されている位置情報を出力する。
ここで処理装置２００は、位置情報封印装置１００から位置情報を取得してこれを使用するモードに加えて、管理装置３００から管理装置記憶部３９０に記憶された位置情報を取得して使用するモードを備えてもよい。
【００５９】
位置情報封印装置１００と処理装置２００との間で「接続断」が発生した場合、位置情報封印装置１００は、位置情報記憶部１９１に記憶された位置情報をリセットし、無力化する（Ｔ４）。
ここで「接続断」とは、例えばコネクタ１４２の抜き差しにより発生する。
また、位置情報のリセットは、接続断検出部１４０が「接続断」検出時に位置情報リセットパルスを発生させるなどにより行う（Ｔ５）。
【００６０】
位置情報封印装置１００の位置情報のリセットにより、処理装置２００が印刷処理などの機能を果たさないため、処理装置２００の利用者は、管理センター４００に「不調の連絡」を行い、システム管理者は管理装置３００を起動する。管理装置３００の通信取得部３０３は位置情報封印装置１００から情報取得部１５２の取得した情報を取得し、状態を確認する（Ｔ６）。
ここで、処理装置２００の利用者は、処理装置２００やその他の通信端末を使用して、直接、管理装置３００に調査要求のデータを送信して管理装置３００を起動してもよい。
【００６１】
管理装置３００は、位置情報封印装置１００の状態確認後、管理装置記憶部３９０に記憶された該位置情報封印装置１００の所在位置を示す位置情報を該位置情報封印装置１００に送信する。該位置情報封印装置１００の情報装置更新部１６０は位置情報を管理装置３００から取得した正常値に更新する（Ｔ７）。
【００６２】
管理装置３００は、状態を確認した結果、「接続断」によるリセットであることを出力、課金部３０５は課金処理を行う（Ｔ８）。
管理装置３００は、例えば、表示装置に結果を表示して、表示を見たシステム管理者が処理装置２００の利用者にこれを報告してもよいし、管理装置３００は、直接、結果を示すデータを、処理装置２００やその他、処理装置２００の利用者の使用する通信端末に送信してもよい。
【００６３】
位置情報封印装置１００の移動量算出部１１０は、位置情報封印装置１００の移動量を算出し、移動量を常に監視する（Ｔ９）。
移動量は、２次元におけるものでもよいし、３次元でもよい。また、移動量を計算してもよいし、移動量と移動方向とを計算してもよい。
【００６４】
移動量判定部１２０は、移動量が許容量記憶部１９２に記憶された許容量を超えた場合、位置情報記憶部１９１に記憶された位置情報をリセットし、無力化を行う（Ｔ１０）。
【００６５】
位置情報封印装置１００の位置情報のリセットにより、処理装置２００が印刷処理などの機能を果たさないため、処理装置２００の利用者は、管理センター４００に「不調の連絡」を行い、システム管理者は管理装置３００を起動する。管理装置３００の通信取得部３０３は位置情報封印装置１００から情報取得部１５２の取得した情報を取得し、状態を確認する（Ｔ１１）。
また、処理装置２００の利用者は、処理装置２００やその他の通信端末を使用して、直接、管理装置３００に調査要求のデータを送信して管理装置３００を起動してもよい。
【００６６】
管理装置３００は、位置情報封印装置１００の状態確認後、管理装置記憶部３９０に記憶された該位置情報封印装置１００の所在位置を示す位置情報および許容量を該位置情報封印装置１００に送信する。該位置情報封印装置１００の情報装置更新部１６０は位置情報および許容量を管理装置３００から取得した正常値に更新する。また、移動量をリセットし、移動量の算出を再開する（Ｔ１２）。
【００６７】
管理装置３００は、状態を確認した結果、「移動」によるリセットであることを出力、課金部３０５は課金処理を行う（Ｔ１３）。
管理装置３００は、例えば、表示装置に結果を表示して、表示を見たシステム管理者が処理装置２００の利用者にこれを報告してもよいし、管理装置３００は、直接、結果を示すデータを、処理装置２００やその他、処理装置２００の利用者の使用する通信端末に送信してもよい。
位置情報封印装置１００は電源部１７０の電源が切られると、各部はパワーオフとなり処理を終了する（Ｔ１４）。
【００６８】
図７は、実施の形態１における各装置のハードウェア構成図である。
図７において、位置情報封印装置１００、処理装置２００、管理装置３００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、磁気ディスク装置９２０と接続されている。また、処理装置２００、管理装置３００は、ＣＲＴ（Ｃａｔｈｏｄｅ  Ｒａｙ  Ｔｕｂｅ）や液晶ディスプレイなどの表示装置９０１、キーボード（Ｋ／Ｂ）９０２、マウス９０３、ＦＤＤ（Ｆｌｅｘｉｂｌｅ  Ｄｉｓｋ  Ｄｒｉｖｅ）９０４、コンパクトディスク装置（ＣＤＤ）９０５、プリンタ装置９０６、スキャナ装置９０７と接続されている。
ＲＡＭ９１４は、揮発性メモリの一例である。ＲＯＭ９１３、ＦＤＤ９０４、ＣＤＤ９０５、磁気ディスク装置９２０、光ディスク装置は、不揮発性メモリの一例である。これらは、記憶装置あるいは記憶部の一例である。
通信ボード９１５は、ＦＡＸ機、電話器、ＬＡＮ、インターネット等に接続されている。
例えば、通信ボード９１５、Ｋ／Ｂ９０２、スキャナ装置９０７、ＦＤＤ９０４などは、情報入力部の一例である。
また、例えば、通信ボード９１５、表示装置９０１などは、出力部の一例である。
【００６９】
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【００７０】
上記プログラム群９２３には、上記の実施の形態の説明において「〜部」として説明する機能を実行するプログラムが記憶されている。プログラムは、ＣＰＵ９１１により読み出され実行される。
ファイル群９２４には、上記の実施の形態の説明において、「〜の判定結果」、「〜の計算結果」、「〜の処理結果」として説明するものが、「〜ファイル」として記憶されている。
また、上記の実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ  ｃａｒｔｒｉｄｇｅ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記録される。あるいは、信号線やその他の伝送媒体により伝送される。
【００７１】
また、上記の実施の形態の説明において「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００７２】
また、上記の実施の形態を実施するプログラムは、磁気ディスク装置９２０、ＦＤ、光ディスク、ＣＤ、ＭＤ、ＤＶＤ等のその他の記録媒体による記録装置を用いて記憶されても構わない。
【図面の簡単な説明】
【００７３】
【図１】実施の形態１における位置情報保証システムの構成図。
【図２】実施の形態１における位置情報保証システムの処理の流れを示すフローチャート。
【図３】実施の形態１における位置情報封印システムの構成図。
【図４】実施の形態１における位置情報封印方法を示すフローチャート。
【図５】実施の形態１における位置情報リセット後の位置情報封印システムの処理を示すフローチャート。
【図６】実施の形態１における位置情報封印システムの処理を示すタイムチャート。
【図７】実施の形態１における各装置のハードウェア構成図。
【符号の説明】
【００７４】
１００  位置情報封印装置、１０１  移動検出部、１１０  移動量算出部、１１１  慣性センサー、１１２  移動量計算部、１２０  移動量判定部、１３０  情報装置接続部、１４０  接続断検出部、１４１  ウォッチドッグタイマー部、１４２  コネクタ、１５０  テレメトリ処理部、１５１  情報装置暗号処理部、１６０  情報装置更新部、１７０  電源部、１７１  バッテリー、１７２  電源検出部、１９１  位置情報記憶部、１９２  許容量記憶部、１９３  移動量記憶部、２００  処理装置、２０１  処理装置通信部、２１０  処理装置接続部、２２０  接続取得部、２３０  情報処理部、３００  管理装置、３０１  認証部、３０３  通信取得部、３０４  管理装置暗号処理部、３０５  課金部、３１０  管理装置通信部、３２０  記憶情報出力部、３９０  管理装置記憶部、４００  管理センター、６００  ＧＰＳ衛星、８００  位置情報装置、８０１  測位部、８３０  情報装置接続部、８９１  位置情報記憶部、９０１  表示装置、９０２  Ｋ／Ｂ、９０３  マウス、９０４  ＦＤＤ、９０５  ＣＤＤ、９０６  プリンタ装置、９０７  スキャナ装置、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群。
【図１】
2006185247.tif 000003
【図２】
2006185247.tif 000004
【図３】
2006185247.tif 000005
【図４】
2006185247.tif 000006
【図５】
2006185247.tif 000007
【図６】
2006185247.tif 000008
【図７】
2006185247.tif 000009